(57)【要約】【課題】蓄電池と外部機器とを接続する配線を保護できる配線カバーおよび蓄電池ユニットを提供すること。【解決手段】配線カバーが、蓄電池（３）とこの蓄電池を収容する蓄電池収容ハウジング（４）とを備えた蓄電池ユニット（１）と蓄電池ユニット（１）が設置される設置面とにまたがって配置可能に構成されていると共に、蓄電池ユニット（１）が設置される設置面に対向する取付面（４３）とこの取付面（４３）に交差して設置面から離れる方向に延びる配線取出面（４４）とを有する箱形の蓄電池収容ハウジング（４）の配線取出面（４４）に設けられた第１配線開口（４５）に取り付けられ、設置面に設けられた第２配線開口に取り付けられ、第１配線開口（４５）および第２配線開口を通りかつ蓄電池と外部機器とを電気的に接続する配線（５）を被覆する。【選択図】図１
2018101584.tif 000002
【特許請求の範囲】
【請求項１】
蓄電池とこの蓄電池を収容する蓄電池収容ハウジングとを備えた蓄電池ユニットと前記蓄電池ユニットが設置される設置面とにまたがって配置可能に構成されていると共に、
前記設置面に対向する取付面とこの取付面に交差して前記設置面から離れる方向に延びる配線取出面とを有する箱形の前記蓄電池収容ハウジングの前記配線取出面に設けられた第１配線開口に一端が取り付けられ、前記設置面に設けられた第２配線開口に他端が取り付けられ、前記第１配線開口および前記第２配線開口を通りかつ前記蓄電池と外部機器とを電気的に接続する配線を被覆する、配線カバー。
【請求項２】
前記第１配線開口に取り付けられる第１開口部と前記第２配線開口に取り付けられる第２開口部とを有し前記配線を収容すると共に前記蓄電池ユニットおよび前記設置面に固定可能な基部と、この基部に収容された前記配線を隠蔽するように前記基部に取り外し可能に取り付けられた隠蔽部とを備え、前記基部と前記隠蔽部とで前記配線を被覆する、請求項１に記載の配線カバー。
【請求項３】
前記隠蔽部が、前記第１開口部の周囲に、前記蓄電池収容ハウジングに取り付けた状態で前記第１配線開口を介して前記蓄電池収容ハウジングの内部まで延びる突出壁部を有する、請求項２に記載の配線カバー。
【請求項４】
前記基部と前記第１配線開口との間および前記隠蔽部と前記第１配線開口との間をそれぞれ封止可能な封止部を備える、請求項３に記載の配線カバー。
【請求項５】
前記蓄電池収容ハウジングと、
前記蓄電池収容ハウジングに固定された請求項１から４のいずれか１つに記載の配線カバーと、
を備える蓄電池ユニット。
【請求項６】
前記蓄電池収容ハウジングの前記取付面と前記配線取出面とが直交するように設けられており、
前記配線カバーの前記蓄電池収容ハウジングに対する固定位置を前記設置面に直交する方向に調整可能な固定位置調整部をさらに備える、請求項５に記載の蓄電池ユニット。
【発明の詳細な説明】
【技術分野】
【０００１】
本発明は、配線カバーおよびこれを備えた蓄電池ユニットに関する。
【背景技術】
【０００２】
特許文献１には、家電製品、照明機器、および、空調設備などに電力を供給可能な家庭用蓄電池ユニットが開示されている。
【先行技術文献】
【特許文献】
【０００３】
【特許文献１】特開２０１４−１１９２０号公報
【発明の概要】
【発明が解決しようとする課題】
【０００４】
一般に、前記家庭用蓄電池ユニットのような蓄電池ユニットは、内部に蓄電池が収容された矩形箱形のハウジングを有し、このハウジングを介して室内の壁面に固定され、配線を介して外部機器と電気的に接続されている。この配線は、通常、大部分が壁内に配線されており、蓄電池ユニットの周囲の壁から壁外に引き出されて、ハウジングの側面に設けられた配線開口を介してハウジングの内部の蓄電池に接続されるようになっている。
【０００５】
しかし、このような配線は、その一部が室内に露出しているため断線し易く、断線による故障が増加するおそれがある。
【０００６】
そこで、本発明は、蓄電池と外部機器とを接続する配線を保護できる配線カバーおよび蓄電池ユニットを提供することを課題とする。
【課題を解決するための手段】
【０００７】
本発明の一態様の配線カバーは、
蓄電池とこの蓄電池を収容する蓄電池収容ハウジングとを備えた蓄電池ユニットと前記蓄電池ユニットが設置される設置面とにまたがって配置可能に構成されていると共に、
前記設置面に対向する取付面とこの取付面に交差して前記設置面から離れる方向に延びる配線取出面とを有する箱形の前記蓄電池収容ハウジングの前記配線取出面に設けられた第１配線開口に一端が取り付けられ、前記設置面に設けられた第２配線開口に他端が取り付けられ、前記第１配線開口および前記第２配線開口を通りかつ前記蓄電池と外部機器とを電気的に接続する配線を被覆する。
【０００８】
また、本発明の一態様の蓄電池ユニットは、
前記蓄電池収容ハウジングと、
前記蓄電池収容ハウジングに固定された請求項１から４のいずれか１つに記載の配線カバーと、
を備える。
【発明の効果】
【０００９】
前記配線カバーによれば、蓄電池収容ハウジングの配線取出面に設けられた第１配線開口に一端が取り付けられ、設置面に設けられた第２配線開口に他端が取り付けられ、第１配線開口および第２配線開口を通りかつ蓄電池と外部機器とを電気的に接続する配線を被覆するように構成されているので、蓄電池と外部機器とを接続する配線を保護できる。
【００１０】
また、前記蓄電池ユニットによれば、前記配線カバーにより、蓄電池と外部機器とを接続する配線を保護できる。
【図面の簡単な説明】
【００１１】
【図１】本発明の一実施形態の蓄電池ユニットの斜視図。
【図２】図１の蓄電池ユニットの蓄電池に配線を接続した状態の斜視図。
【図３】図２の蓄電池ユニットから蓄電池収容ハウジングの上部ハウジングを取り外した状態の斜視図。
【図４】本発明の一実施形態の配線カバーの斜視図。
【図５】図４の配線カバーの図４とは異なる方向から見た斜視図。
【図６】図４の配線カバーの分解斜視図。
【図７】図４の配線カバーの図６とは異なる方向から見た分解斜視図。
【図８】図４の配線カバーの固定方法を説明するための第１の図。
【図９】図４の配線カバーの固定方法を説明するための第２の図。
【図１０】図４の配線カバーの固定方法を説明するための第３の図。
【図１１】図４の配線カバーの固定方法を説明するための第４の図。
【図１２】図４の配線カバーの他の例を示す斜視図。
【発明を実施するための形態】
【００１２】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１３】
本発明の一実施形態の蓄電池ユニット１は、図１に示すように、内部に蓄電池３が収容された蓄電池収容ハウジング４と、この蓄電池収容ハウジング４に固定された配線カバー２とを備えている。
【００１４】
蓄電池３は、配線５により外部機器（図示せず）と電気的に接続されている。蓄電池収容ハウジング４は、略直方体の箱形で、下部ハウジング４１と上部ハウジング４２とで構成されている。
【００１５】
下部ハウジング４１および上部ハウジング４２は、それぞれ、蓄電池ユニット１が設置される設置面６（図８に示す）に対向する取付面４３と、この取付面４３に交差（略直交）して設置面６から離れる方向に延びる配線取出面４４とを有している。上部ハウジング４２の配線取出面４４には、第１配線開口４５が設けられている。また、設置面６には、第２配線開口６１（図８に示す）が設けられている。第１配線開口４５および第２配線開口６１は、配線５が挿入可能に設けられている。
【００１６】
配線カバー２は、蓄電池ユニット１と設置面６とにまたがって配置可能に構成されていると共に、蓄電池収容ハウジング４の第１配線開口４５（図２に示す）に一端が取り付けられ、設置面６の第２配線開口６１（図８に示す）に他端が取り付けられ、さらに、第１配線開口４５および第２配線開口６１を通る配線５（図２に示す）を被覆するように構成されている。詳しくは、配線カバー２は、図４〜図７に示すように、基部１０と、この基部１０に取り外し可能に取り付けられた隠蔽部２０とを備え、基部１０に配線５を収容可能な収容部３０（図４および図５に示す）が設けられている。すなわち、隠蔽部２０は、基部１０に収容された配線５を被覆可能になっている。
【００１７】
基部１０は、略矩形板状の第１開口形成壁部１０１、第２開口形成壁部１０２、および、第１対向壁部１０３と、扇板状の第２対向壁部１０４とで構成されている。第１開口形成壁部１０１と第２開口形成壁部１０２とは、略同一の長さおよび幅を有し、一方の短辺同士が相互に直交するように接続されている。また、第１対向壁部１０３および第２対向壁部１０４は、相互に対向し、かつ、各々が第１開口形成壁部１０１および第２開口形成壁部１０２の一対の長辺に略直交するように接続されている。
【００１８】
第１開口形成壁部１０１には、第１配線開口４５に取り付けられる第１開口部１１が設けられている。この第１開口部１１は、第１開口形成壁部１０１の長手方向における第２開口形成壁部１０２に接続されている端部とは反対方向の端部に設けられている。また、第１開口部１１は、半八角形状を有し、その中心線が第１開口形成壁部１０１の一方の長辺と一致するように設けられている。すなわち、第１開口形成壁部１０１の一方の長辺は、第１開口部１１により開口している。
【００１９】
また、第１開口形成壁部１０１の第１開口部１１の周囲には、第１開口形成壁部１０１から第１開口形成壁部１０１の直交方向に延びる第１突出壁部１２が設けられている。この第１突出壁部１２は、配線カバー２を蓄電池収容ハウジング４に取り付けたときに、蓄電池収容ハウジング４の内部まで延びるように設けられている。また、この第１突出壁部１２には、隠蔽部２０を固定するための一対のねじ固定部１３が設けられている。
【００２０】
第２開口形成壁部１０２には、第２配線開口６１に取り付けられる第２開口部１４が設けられている。この第２開口部１４は、円形状を有し、第２開口形成壁部１０２の長手方向における第１開口形成壁部１０２に接続されている端部とは反対方向の端部に設けられている。また、第２開口形成壁部１０２には、基部１０を設置面６（図８に示す）に固定するための複数の貫通孔１５が設けられている。
【００２１】
第１対向壁部１０３は、第１開口形成壁部１０１の第１開口部１１により開口している長辺側に配置されている。この第１対向壁部１０３は、短辺の一方が、第１開口形成壁部１０１における第１開口形成壁部１０１および第２開口形成壁部１０２の接続部分１０５と第１開口部１１の接続部分１０５に近い方の縁部１０６との間の部分に接続され、長辺一方が、第２開口形成壁部における接続部分１０５と第２開口部１４の略中心との間の部分に接続されている。
【００２２】
第２対向壁部１０４は、第１開口形成壁部１０１の第１開口部１１により開口していない長辺側に配置されている。この第２対向壁部１０４は、径方向に延びる一方の辺が、第１開口形成壁部１０１における接続部分１０５と第１開口部１１の接続部分１０５から遠い方の縁部１０７との間の部分に接続され、径方向に延びる他方の辺が、第２開口形成壁部における接続部分１０５と第２開口部１４の略中心との間の部分に接続されている。
【００２３】
隠蔽部２０は、略扇形状の第１対向壁部２０１および第２対向壁部２０２と、第１対向壁部２０１および第２対向壁部２０２の円弧部分に接続された円弧壁部２０３とで構成されている。
【００２４】
第１対向壁部２０１の径方向に延びる一方の辺には、隠蔽部２０を基部１０に取り付けたときに、第１開口形成壁部１０１の第１開口部１１および第１突出壁部１２の第１開口形成壁部１０１の短手方向の開口を塞ぐ第２突出壁部２０４が設けられている。この第２突出壁部２０４には、隠蔽部２０をねじで基部１０に固定するための一対のねじ穴２１が設けられている。この一対のねじ穴２１の各々は、隠蔽部２０を基部１０に取り付けたときに、基部１０のねじ固定部１３に対応するように設けられている。また、隠蔽部２０の第１対向壁部２０１および第２対向壁部２０２の間には、基部１０の第１対向壁部１０３および第２対向壁部１０４を挿入可能な隙間２２（図７に示す）が設けられている。
【００２５】
基部１０に隠蔽部２０を取り付けることで、基部１０の第１開口形成壁部１０１、第２開口形成壁部１０２、第１対向壁部１０３、および、扇板状の第２対向壁部１０４と、隠蔽部２０の第１対向壁部２０１、第２対向壁部２０２、および、円弧壁部２０３とで囲まれた収容部３０が形成される。この収容部３０の内部と配線カバー２の外部とは、第１開口部１１および第２開口部１４を介して連通している。
【００２６】
なお、蓄電池収容ハウジング４には、配線カバー２の蓄電池収容ハウジング４に対する固定位置を設置面６に直交する方向に調整可能な固定位置調整部が設けられている。この固定位置調整部は、第１配線開口４５と、配線カバー２の第１突出壁部１２および第２突出壁部２０４とで構成されている。詳しくは、配線カバー２の第１突出壁部１２および第２突出壁部２０４が、第１配線開口４５内に挿入された状態で、設置面６に直交する方向に移動可能になっている。
【００２７】
続いて、図８〜図１１を参照して、配線カバー２の固定方法を説明する。
【００２８】
まず、図８に示すように、蓄電池ユニット１を設置面６に固定し、設置面６に第２配線開口６１を形成する。なお、ここでは、蓄電池ユニット１を室内の床７に載置している。また、設置面６は、室内壁であり、床７との境界部分設けられた幅木６２を有している。
【００２９】
次に、図９に示すように、上部ハウジング４２を取り外し、設置面６に基部１０をねじで固定した後、図１０に示すように、設置面６、すなわち、室内壁の中から第２配線開口６１を介して配線５を室内に引き込む。なお、図９および図１０では、上部ハウジング４２を点線で示している。
【００３０】
最後に、図１１に示すように、基部１０に隠蔽部２０をねじで固定した後、上部ハウジング４２を取り付ける。これにより、配線カバー２が、第１配線開口４５および第２配線開口６１を覆うと共に、第１配線開口４５および第２配線開口６１を通る配線５を覆った状態で、蓄電池ユニット１に固定される。
【００３１】
このように、前記実施形態の配線カバー２では、蓄電池収容ハウジング４の配線取出面４４に設けられた第１配線開口４５に一端が取り付けられ、設置面６に設けられた第２配線開口６１に他端が取り付けられ、第１配線開口４５および第２配線開口６１を通りかつ蓄電池３と外部機器とを電気的に接続する配線５を被覆するように構成されているので、蓄電池３と外部機器とを接続する配線５を保護できる。
【００３２】
すなわち、前記配線カバー２により、蓄電池と外部機器とを接続する配線を保護できる蓄電池ユニット１を実現できる。
【００３３】
さらに、配線５が剥き出しになることがないため、押し入れなどの目立たない場所に限らず、どのような場所に設置しても、配線５の引き回しにより室内の美観を損なうことがない。
【００３４】
また、配線カバー２が、第１配線開口４５に取り付ける第１開口部１１と第２配線開口６１に取り付ける第２開口部１４とを有して前記配線を収容すると共に設置面６に固定可能な基部１０と、この基部１０に収容された配線を隠蔽するように取り外し可能に取り付けられた隠蔽部２０とを備え、基部１０と隠蔽部２０とで配線５を被覆している。これにより、蓄電池３と外部機器とを接続する配線５をより確実に保護できる。
【００３５】
また、隠蔽部２０が、第１開口部１１の周囲に、蓄電池収容ハウジング４に取り付けた状態で第１配線開口４５を介して蓄電池収容ハウジング４の内部まで延びる第１突出壁部１２を有している。これにより、蓄電池ユニット１の内部への塵埃などの進入を防ぐことができる。
【００３６】
また、蓄電池ユニット１が、配線カバー２の蓄電池収容ハウジング４に対する固定位置を設置面６に直交する方向に調整可能な固定位置調整部をさらに備えている。これにより、例えば、設置面６に幅木６２（図８に示す）が設けられていたとしても、配線カバー２の固定位置を調整することで、基部１０の第２開口形成壁部１０２と設置面６との間の隙間をなくすことができる。その結果、蓄電池３と外部機器とを接続する配線５をより確実に保護できる。
【００３７】
なお、図１２に示すように、基部１０と第１配線開口４５との間、および、隠蔽部２０と第１配線開口４５との間をそれぞれ封止可能な封止部５０をさらに備えてもよい。この封止部５０は、例えば、シーリング材で構成することができる。これにより、塵埃などの侵入に加えて、蓄電池ユニット１の内部への水の侵入を防ぐことができる。
【００３８】
また、配線カバー２は、蓄電池収容ハウジング４の配線取出面４４に設けられた第１配線開口４５と、設置面６に設けられた第２配線開口６１と、第１配線開口４５および第２配線開口６１を通りかつ蓄電池３と外部機器とを電気的に接続する配線５と、を被覆可能に構成されていればよく、基部１０と隠蔽部２０とを備える場合に限らない。
【００３９】
また、配線カバー２の第１突出壁部１２および第２突出壁部２０４と、固定位置調整部とは、省略することができる。
【００４０】
また、配線カバー２の基部１０は、前記実施形態のように、設置面６に固定してもよいし、設置面６に固定しなくてもよい。
【００４１】
以上、図面を参照して本発明における種々の実施形態を詳細に説明したが、最後に、本発明の種々の態様について説明する。
【００４２】
本発明の第１態様の配線カバーは、
蓄電池とこの蓄電池を収容する蓄電池収容ハウジングとを備えた蓄電池ユニットと前記蓄電池ユニットが設置される設置面とにまたがって配置可能に構成されていると共に、
前記設置面に対向する取付面とこの取付面に交差して前記設置面から離れる方向に延びる配線取出面とを有する箱形の前記蓄電池収容ハウジングの前記配線取出面に設けられた第１配線開口に一端が取り付けられ、前記設置面に設けられた第２配線開口に他端が取り付けられ、前記第１配線開口および前記第２配線開口を通りかつ前記蓄電池と外部機器とを電気的に接続する配線を被覆する。
【００４３】
第１態様の配線カバーによれば、蓄電池収容ハウジングの配線取出面に設けられた第１配線開口に一端が取り付けられ、設置面に設けられた第２配線開口に他端が取り付けられ、第１配線開口および第２配線開口を通りかつ蓄電池と外部機器とを電気的に接続する配線を被覆するように構成されているので、蓄電池と外部機器とを接続する配線を保護できる。
【００４４】
本発明の第２態様の配線カバーでは、
前記第１配線開口に取り付けられる第１開口部と前記第２配線開口に取り付けられる第２開口部とを有し前記配線を収容すると共に前記蓄電池ユニットおよび前記設置面に固定可能な基部と、この基部に収容された前記配線を隠蔽するように前記基部に取り外し可能に取り付けられた隠蔽部とを備え、前記基部と前記隠蔽部とで前記配線を被覆する。
【００４５】
第２態様の配線カバーによれば、蓄電池と外部機器とを接続する配線をより確実に保護できる。
【００４６】
本発明の第３態様の配線カバーでは、
前記隠蔽部が、前記第１開口部の周囲に、前記蓄電池収容ハウジングに取り付けた状態で前記第１配線開口を介して前記蓄電池収容ハウジングの内部まで延びる突出壁部を有する、請求項２に記載の配線カバー。
【００４７】
第３態様の配線カバーによれば、蓄電池ユニットの内部への塵埃などの進入を防ぐことができる。
【００４８】
本発明の第４態様の配線カバーでは、
前記基部と前記第１配線開口との間および前記隠蔽部と前記第１配線開口との間をそれぞれ封止可能な封止部を備える、請求項３に記載の配線カバー。
【００４９】
第４態様の配線カバーによれば、塵埃などの侵入に加えて、蓄電池ユニット１の内部への水の侵入を防ぐことができる。
【００５０】
本発明の第５態様の蓄電池ユニットは、
前記蓄電池収容ハウジングと、
前記蓄電池収容ハウジングに固定された請求項１から４のいずれか１つに記載の配線カバーと、
を備える。
【００５１】
第５態様の蓄電池ユニットによれば、前記配線カバーにより、蓄電池と外部機器とを接続する配線を保護できる。
【００５２】
本発明の第６態様の蓄電池ユニットでは、
前記蓄電池収容ハウジングの前記取付面と前記配線取出面とが直交するように設けられており、
前記配線カバーの前記蓄電池収容ハウジングに対する固定位置を前記設置面に直交する方向に調整可能な固定位置調整部をさらに備える。
【００５３】
第６態様の蓄電池ユニットによれば、例えば、設置面に幅木が設けられていたとしても、配線カバーの固定位置を調整することで、基部の第２開口形成壁部と設置面との間の隙間をなくすことができる。その結果、蓄電池と外部機器とを接続する配線をより確実に保護できる。
【００５４】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００５５】
本発明の配線カバーは、例えば、家庭用蓄電池ユニットに適用できる。
【符号の説明】
【００５６】
１  蓄電池ユニット
２  配線カバー
３  蓄電池
４  蓄電池収容ハウジング
４１  下部ハウジング
４２  上部ハウジング
４３  取付面
４４  配線取出面
４５  第１配線開口
５  配線
６  設置面
６１  第２配線開口
６２  幅木
７  床
１０  基部
１０１  第１開口形成壁部
１０２  第２開口形成壁部
１０３  第１対向壁部
１０４  第２対向壁部
１０５  接続部分
１０６，１０７  縁部
１１  第１開口部
１２  第１突出壁部
１３  ねじ固定部
１４  第２開口部
１５  貫通孔
２０  隠蔽部
２０１  第１対向壁部
２０２  第２対向壁部
２０３  円弧壁部
２０４  第２突出壁部
２１  ねじ穴
２２  隙間
３０  収容部
５０  封止部
【図１】
2018101584.tif 000003
【図２】
2018101584.tif 000004
【図３】
2018101584.tif 000005
【図４】
2018101584.tif 000006
【図５】
2018101584.tif 000007
【図６】
2018101584.tif 000008
【図７】
2018101584.tif 000009
【図８】
2018101584.tif 000010
【図９】
2018101584.tif 000011
【図１０】
2018101584.tif 000012
【図１１】
2018101584.tif 000013
【図１２】
2018101584.tif 000014